(57)【要約】  本発明は、機器アダプタであって、ベース部分（１０）が設けられており、該ベース部分（１０）が、その下面に、ブスバーに取り付けかつコンタクト形成するためのブスバー収容部（１１）を備えていて、ベース部分（１０）の上面に、結合手段によって解離可能に固定された積上げ装置（２０）を支持しており、該積上げ装置（２０）が、互いに平行に間隔を置いて配置された、電気的な機器または据付けユニット（４０）を連結するための２つの長手方向条片（２１，２４）を備えている形式のものに関する。簡単な構造で可変の組付け可能性は、結合手段が、長手方向条片（２１，２４）の下面に一体成形された、突出したフック状の掛込みエレメント（２２）として形成されており、該掛込みエレメント（２２）が、ベース部分（１０）の上面に設けられた、掛込みエレメント（２２）に適合された収容開口（１３）内に鉛直に導入可能であり、長手方向への１回の移動によって、収容開口（１３）の、上側と反対の側に設けられた背後の領域に掛込み可能であり、長手方向条片（２１，２４）の、掛け込まれた位置を拘束するために、解除可能な拘束エレメント（２８）が設けられていることによって提供される。
2008509511.tif 000002
【特許請求の範囲】
【請求項１】
機器アダプタであって、ベース部分（１０）が設けられており、該ベース部分（１０）が、その下面に、ブスバーに取り付けかつコンタクト形成するためのブスバー収容部（１１）を備えていて、ベース部分（１０）の上面に、結合手段によって解離可能に固定された積上げ装置（２０）を支持しており、該積上げ装置（２０）が、互いに平行に間隔を置いて配置された、電気的な機器または据付けユニット（４０）を連結するための２つの長手方向条片（２１，２４）を備えている形式のものにおいて、結合手段が、長手方向条片（２１，２４）の下面に一体成形された、突出したフック状の掛込みエレメント（２２）として形成されており、該掛込みエレメント（２２）が、ベース部分（１０）の上面に設けられた、掛込みエレメント（２２）に適合された収容開口（１３）内に鉛直に導入可能であり、長手方向への１回の移動によって、収容開口（１３）の、上側と反対の側に設けられた背後の領域に掛込み可能であり、長手方向条片（２１，２４）の、掛け込まれた位置を拘束するために、解除可能な拘束エレメント（２８）が設けられていることを特徴とする、機器アダプタ。
【請求項２】
掛込みエレメント（２２）が、移動方向に突出した端区分を有しているかまたは掛込みエレメント（２２）が、拡幅された端区分を有しており、収容開口（１３）が、長手方向に方向付けられた鍵孔状の開口として形成されている、請求項１記載の機器アダプタ。
【請求項３】
拘束エレメント（２８）が、取外し可能で差込み可能なかつ／または係止可能なピンとして形成されており、該ピンが、鉛直に、該当する長手方向条片（２４）の上面から、適合された貫通案内開口（２４．３）を通して、掛け込まれた位置で整合する適合された拘束エレメント収容部（１９）内に挿入可能であるかまたは拘束エレメントが、長手方向条片（２４）またはベース部分（１０）に一体成形された係止エレメントとして形成されており、該係止エレメントが、ベース部分（１０）または長手方向条片（２４）に設けられた係止対応エレメント内に係合するようになっている、請求項１または２記載の機器アダプタ。
【請求項４】
ベース部分（１０）の側方の縁領域に取り付けられるかまたは取り付けたい両長手方向条片（２１，２４）が、解離可能な２つの横方向条片（２５，２６）を介して互いに結合されている、請求項１から３までのいずれか１項記載の機器アダプタ。
【請求項５】
横方向条片（２５，２６）が、長手方向条片（２１，２４）に相応の横断面を有していて、両側の端区分で横方向条片（２５，２６）の下面に、鉛直方向下向きに突出した保持脚部（２５．１，２６．１）を有している、請求項４記載の機器アダプタ。
【請求項６】
長手方向条片（２１，２４）の、互いに向かい合った内面に、互いに適合された位置で互いに逆方向に向けられた横方向ピン（２４．１，２４．２）が一体成形されており、横方向条片（２５，２６）が、少なくともその端区分に、長手方向に延びる、端部で開放した、横断面において横方向ピン（２４．１，２４．２）の横断面に適合された、該横方向ピン（２４．１，２４．２）を差し込むための中空室を有している、請求項４または５記載の機器アダプタ。
【請求項７】
両長手方向条片（２１，２４）が、取り付けられた状態で、端区分でベース部分（１０）を一方の端面で越えて突出しており、ベース部分（１０）の該端面と長手方向条片の下面との間の角度範囲内に支持手段（２７）が取り付けられている、請求項１から６までのいずれか１項記載の機器アダプタ。
【請求項８】
支持手段（２７）が、ベース部分（１０）の端面に向かい合った面に保持構造部（２７．１）を備えており、該保持構造部（２７．１）が、長手方向条片（２１，２４）の取り付けられた状態で、保持構造部（２７．１）に対して相補的な各支持手段収容部（１５）内に係合されている、請求項７記載の機器アダプタ。
【請求項９】
一方の長手方向条片（２１）が、取り付けられた状態で、その一方の端部で特定の間隔だけ、ベース部分（１０）の、該当する端面の前方で終わっており、ベース部分（１０）の、解放された区分に、当該機器アダプタのロックを操作するための操作部（５０）が配置されている、請求項１から８までのいずれか１項記載の機器アダプタ。
【請求項１０】
平行に間隔を置いて配置された両長手方向条片（２１，２４）の上面に、平行間隔を橋渡しする、機器または据付けユニットを連結するための載着部材（３０）が、長手方向で長手方向条片（２１，２４）に沿って移動可能に係止されていて、固定手段（３２）によって、選択可能な位置で長手方向条片（２１，２４）に位置固定可能である、請求項１から９までのいずれか１項記載の機器アダプタ。
【発明の詳細な説明】
【技術分野】
【０００１】
本発明は、機器アダプタであって、ベース部分が設けられており、該ベース部分が、その下面に、ブスバーに取り付けかつコンタクト形成するためのブスバー収容部を備えていて、ベース部分の上面に、結合手段によって解離可能に固定された積上げ装置を支持しており、該積上げ装置が、互いに平行に間隔を置いて配置された、電気的な機器または据付けユニットを連結するための２つの長手方向条片を備えている形式のものに関する。
【０００２】
この形式の機器アダプタは、ドイツ連邦共和国特許第１９７５５８４８号明細書に記載されている。この公知の機器アダプタでは、ハウジング状のベース部分の上面に長手方向縁部に沿って長手方向条片が載着されていて、ベース部分に、長手方向条片に側方で下向きに突出して一体成形されたばね弾性的な係止舌片によって係止されている。この係止舌片は、係止された状態で、ベース部分の長手方向側壁に加工された切欠き内に位置している。長手方向条片は、ベース部分の上面に対して垂直に向けられた各孔列を有している。この孔列を介して、機器を場合により適切な固定エレメントによって連結することができる。長手方向条片の取外しのためには、係止舌片がその係合位置から解離されなければならない。このことには、相応の面倒が結び付けられている。
【０００３】
また、ドイツ連邦共和国実用新案第２９８１１３７９号明細書にも、側方で長手方向縁部に沿ってベース部分に取り付けられた長手方向条片を備えた機器アダプタが示してある。機器の連結のためには、長手方向条片に、長手方向に移動可能な載着部材が取り付けられている。この場合、結合は解離可能に実施することもできるものの、これに関しては、詳しい記載がされていない。
【０００４】
本発明の課題は、冒頭で述べた形式の機器アダプタを改良して、簡単な構造および簡単な取扱いで、可変の組付け可能性が提供されるようにすることである。
【０００５】
この課題は、請求項１の特徴によって解決される。この場合、結合手段が、長手方向条片の下面に一体成形された、突出したフック状の掛込みエレメントとして形成されており、該掛込みエレメントが、ベース部分の上面に設けられた、掛込みエレメントに適合された収容開口内に鉛直に導入可能であり、長手方向への１回の移動によって、収容開口の、上側と反対の側に設けられた背後の領域に掛込み可能であり、長手方向条片の、掛け込まれた位置を拘束するために、解除可能な拘束エレメントが設けられていることが提案されている。この手段によって、長手方向条片を簡単にベース部分の上面に組み付けることができ、また、解離することもできる。
【０００６】
この場合、製造および取扱いに対して、有利な構成は、掛込みエレメントが、移動方向に突出した端区分を有しているかまたは掛込みエレメントが、拡幅された端区分を有しており、収容開口が、長手方向に方向付けられた鍵孔状の開口として形成されていることにある。拘束エレメントによって、長手方向条片がその組付け位置で確実に位置固定される。
【０００７】
この場合、簡単な取扱いには、拘束エレメントが、取外し可能で差込み可能なかつ／または係止可能なピンとして形成されており、該ピンが、鉛直に、該当する長手方向条片の上面から、適合された貫通案内開口を通して、掛け込まれた位置で整合する適合された拘束エレメント収容部内に挿入可能であるかまたは拘束エレメントが、長手方向条片またはベース部分に一体成形された係止エレメントとして形成されており、該係止エレメントが、ベース部分または長手方向条片に設けられた係止対応エレメント内に係合するようになっている手段が寄与する。
【０００８】
ベース部分の側方の縁領域に取り付けられるかまたは取り付けたい両長手方向条片が、解離可能な２つの横方向条片を介して互いに結合されていることが提案されていると、両長手方向条片と横方向条片とから成るユニットを前組付けすることができ、簡単にベース部分に取り付けることができる。
【０００９】
簡単な製造および取扱いは、横方向条片が、長手方向条片に相応の横断面を有していて、両側の端区分で横方向条片の下面に、鉛直方向下向きに突出した保持脚部を有していることによって助成される。
【００１０】
さらに、簡単な安定した組付けには、長手方向条片の、互いに向かい合った内面に、互いに適合された位置で互いに逆方向に向けられた横方向ピンが一体成形されており、横方向条片が、少なくともその端区分に、長手方向に延びる、端部で開放した、横断面において横方向ピンの横断面に適合された、該横方向ピンを差し込むための中空室を有している手段が寄与する。
【００１１】
さらに、両長手方向条片が、取り付けられた状態で、端区分でベース部分を一方の端面で越えて突出しており、ベース部分の該端面と長手方向条片の下面との間の角度範囲内に支持手段が取り付けられていることが提案されていると、長手方向条片の突出した部分にも組付け可能性が得られる。この場合、安定性が支持手段によって向上させられる。
【００１２】
この場合、支持手段による簡単な安定した取付けは、支持手段が、ベース部分の端面に向かい合った面に保持構造部を備えており、該保持構造部が、長手方向条片の取り付けられた状態で、保持構造部に対して相補的な各支持手段収容部内に係合されていることによって生ぜしめられる。
【００１３】
さらに、機器アダプタの取扱いに対する有利な構成は、一方の長手方向条片が、取り付けられた状態で、その一方の端部で特定の間隔だけ、ベース部分の、該当する端面の前方で終わっており、ベース部分の、解放された区分に、当該機器アダプタのロックを操作するための操作部が配置されていることにある。
【００１４】
機器または据付けユニットの簡単な連結は、平行に間隔を置いて配置された両長手方向条片の上面に、平行間隔を橋渡しする、機器または据付けユニットを連結するための載着部材が、長手方向で長手方向条片に沿って移動可能に係止されていて、固定手段によって、選択可能な位置で長手方向条片に位置固定可能であることによって助成される。
【００１５】
以下に、本発明の実施例を図面につき詳しく説明する。
【００１６】
図１には、機器アダプタ１が示してある。この機器アダプタ１は、ベース部分１０と、このベース部分１０に取り付けられた積上げ装置２０とを備えている。この積上げ装置２０は、ベース部分１０の長手方向縁部に平行に間隔を置いて配置された２つの長手方向条片２１，２４と、両長手方向条片２１，２４を結合する横方向条片２５，２６とを備えている。長手方向条片２１，２４には、機器もしくは据付けユニットの簡単な取付けのために、両長手方向条片の間の間隔を橋渡しする、トップハットレールの形の載着部材３０が、そのベースで長手方向条片２１，２４の上面に載着されていて、図２、図３、図５および図６にも示したように、この上面にねじの形の固定手段３２によって位置固定されている。載着部材３０は、その最終的な位置に位置固定される前に、長手方向条片に、下向きに突出した係止する保持エレメント３１によって長手方向条片に位置決めされ、この長手方向条片２１，２４に沿って所望の位置に移動することができる。この場合、移動位置の一時的な拘束のためには、係止レバー（図示せず）が係止突起で、ベース部分１０の上面に加工された、急傾斜の側面を備えた、長手方向に延びる歯列に噛み合う。長手方向条片２１，２４の上面には、ほぼ直方体状のベース部分１０の一方の端面を越えて突出した区分に、接続ユニット４０の形の据付けユニットがねじによって取り付けられている。このねじは、積上げ装置２０もしくは機器アダプタ１の上面に対して垂直に長手方向条片２１，２４に加工された孔内に係合している。この場合、この孔は長手方向条片２１，２４に、規定されたパターンを備えた各孔列を形成している。
【００１７】
特に図２、図３、図４および図６から明らかであるように、積上げ装置２０の下面、しかも、長手方向条片２１，２４の下面には、下向きに突出した、掛込みエレメント２２の形の結合エレメントが一体成形されている。ベース部分１０の上面には、長手方向縁部の近くに、掛込みエレメント２２の最大の横断面に適合された収容開口１３が加工されている。この収容開口１３はその個数および位置において掛込みエレメント２２に適合されている。収容開口１３の下側には、段部が配置されている。この段部は、積上げ装置２０の取り付けられた状態で、掛込みエレメント２２のフック状の端区分によって背後から係合される。段部までの収容開口１３の深さは、長手方向条片２１，２４の下面とフック部分の上面との間の内法の幅に適合されている。積上げ装置２０の取付けのためには、長手方向条片２１，２４が掛込みエレメント２２でベース部分１０の上面に対して垂直に収容開口１３内に導入され、次いで、ベース部分１０の長手方向に移動させられ、これによって、同じく移動方向に突出したフック部分がその保持位置にもたらされる。積上げ装置２０のこの保持位置では、この積上げ装置２０が拘束エレメント２８によって一方の長手方向条片２４でまたは択一的に両方の長手方向条片２１，２４でピン状の拘束エレメント２８によって移動に対して位置決めされる。この場合、この拘束エレメント２８は軸部部分で、ベース部分１０の上面で相応の箇所に加工された拘束エレメント収容部１９内に、有利には係止係合する。このためには、特に図４から明らかであるように、該当する長手方向条片２４に、積上げ装置２０の掛け込まれた状態で拘束エレメント収容部１９に整合する貫通案内開口２４．３が加工されている。収容開口１３の側方には、ベース部分１０の上面に孔１４が加工されている。この孔１４によって、長手方向条片２１，２４を付加的に位置決めすることができるかまたは直接ベース部分１０の上面に別の積上げユニット取り付けることができる。
【００１８】
さらに、図４に示したように、長手方向条片２１，２４は、互いに向かい合った面に、横方向条片２５，２６に結合するための、互いに整合して向かい合って位置する横方向ピン２４．１，２４．２を備えている。このためには、有利には長手方向条片２１，２４と同じ横断面を有する横方向条片２５，２６が少なくともその端区分に、横断面において横方向ピン２４．１，２４．２の横断面に適合された中空室２５．２，２６．２を備えている。こうして、積上げ装置２０をベース部分１０への組付け前に簡単な差込み組付けによって前組付けすることができる。これによって、ベース部分１０への積上げ装置２０の取付けを簡単に行うことができる。横方向条片２５，２６はその下面に、この下面に一体成形された保持脚部２５．１，２６．１を備えている。この保持脚部２５．１，２６．１は、ベース部分１０に位置固定するために、付加的にさらに係止エレメントを装備していてよく、ベース部分１０の対応保持エレメントと協働する。
【００１９】
さらに、図面から明らかであるように、ベース部分１０の、該当する端面を越えて突出した、長手方向条片２１，２４の端区分と、ベース部分１０の端面側の端壁１８との間の角度範囲内には、側面図で見て直角三角形の支持手段２７が配置されている。この支持手段２７は、端壁１８に向かい合った面に、一体成形された、横断面で見てＴ字形のまたは鳩尾状のリブの形の保持構造部２７．１を備えている。この保持構造部２７．１は、ベース部分１０の端面に配置された、アンダカットされたＴ字形溝の形の相補的な保持手段収容部１５内に係合する。組付け時には、有利には、まず、支持手段２７がその保持構造部２７．１で支持手段収容部１５内に押し込まれ、次いで、積上げ装置２０が取り付けられ、フック固定される。たとえば図２に示したように、接続ユニット４０は長手方向条片２１，２４によって固定ねじを用いて支持手段２７に結合されてもよい。
【００２０】
さらに、図１および図２に示したように、ベース部分１０の下面には、３つのブスバー収容部１１が形成されている。これらのブスバー収容部１１内には、ベース部分１０もしくは機器アダプタ１に対して横方向に延びるブスバーを収容することができる。ブスバー収容部は、ベース部分１０に対して横方向に延びる仕切り壁１７によって互いに分離されている。ブスバーとのコンタクト形成のためには、ベース部分１０の下面にブスバー収容部１１内で、ブスバーの電気的なコンタクト形成のためのコンタクト形成区分６０が配置されている。仕切り壁１７には、ブスバーへの機器アダプタ１の取付けのために、図５に示したように、フック部分５５が位置固定されてよい。ブスバーに取り付けられた機器アダプタ１のロックのためには、少なくとも１つのブスバー収容部１１内に、図６に示したように、段付けられた、ベース部分１０内にばね力に抗して押戻し可能なロックエレメント７０が設けられている。このロックエレメント７０は、ベース部分１０の上面でこのベース部分１０の一方の端区分において突出した操作部５０によってロック解除することができ、これによって、機器アダプタ１をブスバーから取り外すことができる。組付けユニットへの取付けのためには、ベース部分１０がその一方の端区分の下面にさらに少なくとも１つのフック状の保持手段１２を有している。
【００２１】
ロックエレメント７０のための操作部５０を簡単に操作することができるようにするためには、一方の長手方向条片２１が、該当する端区分で短縮されており、これによって、操作部５０をこの領域に問題なく配置することができ、操作することができる。
【図面の簡単な説明】
【００２２】
【図１】取り付けられた積上げ装置を備えた機器アダプタの斜視図である。
【図２】積上げ装置が取り外された図１に示した機器アダプタの斜視図である。
【図３】図１および図２に示した積上げ装置の斜視図である。
【図４】分解された図３に示した積上げ装置の斜視図である。
【図５】ブスバーに取り付けるためのフック部分を備えた、図１に示した機器アダプタの側面図である。
【図６】積上げ装置が取り外された図５に示した機器アダプタを示す図である。
【符号の説明】
【００２３】
１  機器アダプタ、  １０  ベース部分、  １１  ブスバー収容部、  １２  保持手段、  １３  収容開口、  １４  孔、  １５  支持手段収容部、  １７  仕切り壁、  １８  端壁、  １９  拘束エレメント収容部、  ２０  積上げ装置、  ２１  長手方向条片、  ２２  掛込みエレメント、  ２４  長手方向条片、  ２４．１  横方向ピン、  ２４．２  横方向ピン、  ２４．３  貫通案内開口、  ２５  横方向条片、  ２５．１  保持脚部、  ２５．２  中空室、  ２６  横方向条片、  ２６．１  保持脚部、  ２６．２  中空室、  ２７  支持手段、  ２７．１  保持構造部、  ２８  拘束エレメント、  ３０  載着部材、  ３１  保持エレメント、  ３２  固定手段、  ４０  接続ユニット、  ５０  操作部、  ５５  フック部分、  ６０  コンタクト形成区分、  ７０  ロックエレメント
【図１】
2008509511.tif 000003
【図２】
2008509511.tif 000004
【図３】
2008509511.tif 000005
【図４】
2008509511.tif 000006
【図５】
2008509511.tif 000007
【図６】
2008509511.tif 000008
【国際調査報告】
2008509511.tif 000009
2008509511.tif 000010
2008509511.tif 000011
2008509511.tif 000012